(57)【特許請求の範囲】
【請求項１】
折り畳みが可能な四角形のシート形状を有する自動車用の簡易カーテンにおいて、前記シートを展開した状態で、前記シートを自動車の内壁に接合するための、第一の面ファスナーが備えられ、折り畳んだ際の前記シートの対向する面の少なくとも一方に、前記対向する面を接合するための、第二の面ファスナーが備えられ、折り畳んだ状態の前記シートの外面となる面に、前記シートを自動車の内壁に接合するための、第三の面ファスナーが備えられ、
前記第一の面ファスナーは、前記シートの片方の長辺にのみ、間隔を空けた状態で複数配置されており、
前記第三の面ファスナーは、前記シートの片方の短辺のうち前記第一の面ファスナーが設けられている側の半分の領域にのみ、間隔を空けた状態で複数配置されており、
前記第一の面ファスナーが設けられた前記長辺と前記第三の面ファスナーが設けられた前記短辺により結ばれる前記シートの１つの隅部には、前記第一の面ファスナー及び前記第三の面ファスナーのいずれのフアスナーとしても用いられるファスナーが１つ設けられていることを特徴とする、自動車用の簡易カーテン。
【発明の詳細な説明】
【技術分野】
【０００１】
本発明は、自動車用簡易カーテンに関し、特に車内への着脱が簡単に行え、収納の際のコンパクト化も考慮した自動車用簡易カーテンに関するものである。
【背景技術】
【０００２】
自動車のガラスには、日除けや内部を見られないようにする目的のため、様々な機能を有する遮光ガラスが用いられている。一方で、外光を随時遮るための、開閉や着脱が可能なカーテンも用いられている。
【０００３】
特許文献１には、車内と布製のカーテンの両方に面ファスナーを取り付けることにより、着脱を容易にした車内カーテンが開示され、特許文献２には、四角形の布等に取り付けたマジックテープ（登録商標）で車内に貼り付けることを可能とした、自動車用カーテンが開示されている。
【０００４】
また、特許文献３には、運転席の車内側に取り付けた面ファスナーにより、車内に取り付けることを可能とした、車両用日除けが開示され、特許文献４には、窓ガラス上端部に、係合部材とスライドファスナーを介して、開閉可能の取り付けられてなる自動車用カーテン装置が開示されている。
【先行技術文献】
【特許文献】
【０００５】
【特許文献１】実開昭５１−１７９２１号公報
【特許文献２】実用新案登録第３０８２６２４号公報
【特許文献３】特開２００８−６９４８号公報
【特許文献４】特開２０１４−５１２３１号公報
【発明の概要】
【発明が解決しようとする課題】
【０００６】
しかしながら、前記先行技術文献のいずれにも、カーテンを取り外した際の処置方法を考慮した構造が付与されていないため、カーテンを使用していない際の保管スペースなどの点で、改善の余地がある。
【０００７】
従って、本発明の課題は、展張や着脱が短時間で容易にでき、しかも取り外した際の置き場所を、特別に準備する必要のない自動車用の簡易カーテンを提供することにある。
【課題を解決するための手段】
【０００８】
本発明は、前記の課題に鑑み、カーテンの車内への接合手段を応用して、取り外して折り畳んだ際の、カーテンのコンパクト化を可能とする構造を、鋭意検討した結果なされたものである。
【０００９】
上記課題を解決するための、本発明の一態様に係る自動車用の簡易カーテンは、折り畳みが可能な四角形のシート形状を有し、前記シートの一辺の近傍の少なくとも１箇所に、前記シートを展開した状態で、前記シートを自動車の内壁に接合するための、第一の面ファスナーが備えられ、折り畳んだ際の前記シートの対向する面の少なくとも一方に、前記対向する面を接合するための、第二の面ファスナーが備えられ、折り畳んだ状態の前記シートの外面となる面に、前記シートを自動車の内壁に接合するための、第三の面ファスナーが備えられ、前記第一の面ファスナーは、前記シートの片方の長辺にのみ、間隔を空けた状態で複数配置されており、前記第三の面ファスナーは、前記シートの片方の短辺のうち前記第一の面ファスナーが設けられている側の半分の領域にのみ、間隔を空けた状態で複数配置されており、前記第一の面ファスナーが設けられた前記長辺と前記第三の面ファスナーが設けられた前記短辺により結ばれる前記シートの１つの隅部には、前記第一の面ファスナー及び前記第三の面ファスナーのいずれのフアスナーとしても用いられるファスナーが１つ設けられていることを特徴とする。
【発明の効果】
【００１０】
本発明に係る自動車用の簡易カーテンは、基本的に前記のような、折り畳みが可能で、適当な位置に面ファスナーが取り付けられた構造を備えていて、自動車、特に乗用車の多くは、車内の内壁の素材が、難燃性発泡ウレタンの表面に、フェルト状のシートや、スウェード状の起毛生地を積層して構成されているので、接合手段として、マジックテープのような面ファスナーを用いることにより、着脱が容易である。
【００１１】
また、面ファスナーは、カーテンを折り畳んだ状態を保持する機能も発現し、カーテンを折り畳んだ状態で、外面となる位置にも面ファスナーを取り付けることで、カーテンを使用していない際に、車内の天井などに接合しておくこともできる。また、カーテンを構成するシートに、山折り部、谷折り部を適宜設けることにより、折り畳みや展張の作業を簡単にすることができる。
【図面の簡単な説明】
【００１２】
【図１】本発明に係る自動車用簡易カーテンの一例を示す図で、図１（ａ）は平面図、図１（ｂ）は正面図。
【図２】本発明に係る自動車用簡易カーテンを折り畳んだ状態の一例を示す斜視図。
【発明を実施するための形態】
【００１３】
次に、具体的な図を参照しながら、本発明の実施の形態について説明する。図１は、本発明に係る動車用簡易カーテンの一例を示す図で、図１（ａ）は平面図、図１（ｂ）は正面図である。
【００１４】
ここに示した例では、カーテン１の所要部に、破線で示した山折り部２と、一点鎖線で示した谷折り部３が設けられ、第一の面ファスナー４ａ、４ｄ、４ｇ、第二面ファスナー４ｂ、４ｃ、４ｅ、４ｆ、第三の面ファスナー４ｇ、４ｈが取付けられている。
【００１５】
このカーテン１を展張して、車内の内壁に接合するには、第一の面ファスナー４ａ、４ｄ、４ｇを用いる。そして、カーテン１を折り畳む際には、まず縦方向に設けられている山折り部２、谷折り部３を利用して、幅を展張した状態の８分の１とする。その際に第二の面ファスナー４ｂ、４ｃ、４ｅ、４ｆを、それぞれカーテン１の対向面に接合する。
【００１６】
横方向を折り畳んだ後、図における縦方向を中央部で、第三の面ファスナー４ｇ、
４ｈが外側に露出するように折り畳む。つまり第一の面ファスナー４ｇは、第三の面ファスナーとしても機能する。
【００１７】
図３は、本発明に係る自動車用簡易カーテンを折り畳んだ状態の一例を示す斜視図である。この例では、第三の面ファスナーが２箇所に設けられているが、車内の内壁への接合を、より確実にするため、３箇所以上設けることも可能であることは勿論である。また、カーテンを構成するシートの材質は、面状ファスナーが接合可能なものであれば、特に限定されないことも勿論であり、カーテンの光の透過度を考慮してレース状の織物を用いることも可能である。
【００１８】
以上に説明したように、本発明によれば、自動車の内部に簡単に着脱できて、外した場合の保管にも支障のない自動車用簡易カーテンを提供できる。なお、本発明は、前記実施の形態に限定されるものではなく、面ファスナーの数や折り畳みの形態を変更するなどの、本発明の分野における通常の知識を有する者であれば想到し得る、各種変形、修正を含む、本発明の要旨を逸脱しない範囲の設計変更があっても、本発明に含まれることは勿論である。
【符号の説明】
【００１９】
１ ・・・ カーテン
２ ・・・ 山折り部
３ ・・・ 谷折り部
４ａ，４ｄ，４ｇ ・・・ 第一の面ファスナー
４ｂ，４ｃ，４ｅ，４ｆ ・・・ 第二の面ファスナー
４ｇ，４ｈ ・・・ 第三の面ファスナー
【要約】      （修正有）【課題】車内に常に垂れ下がるカーテンを収納し、且つ、取り付けについても面倒がなく簡単な自動車用簡易カーテンを提供する。【解決手段】折り畳みが可能な四角形のシート形状を有する自動車用のカーテンにおいて、前記シートの一辺の近傍の少なくとも２箇所に、前記シートを展開した状態で、前記シートを自動車の内壁に接合するための、第一の面ファスナー４ａ，４ｄ，４ｇが備えられ、折り畳んだ際の前記シートの対向する面の少なくとも２箇所に、前記シートを自動車の内壁に接合するための第二の面ファスナー４ｂ，４ｃ，４ｅ，４ｆが備えられ、前記シートを展開した状態で、前記シートを自動車の内壁に接合するための、第三の面ファスナー４ｇ，４ｈが備えられている。【選択図】図１【図１】
0006934550.tif 000002
【図２】
0006934550.tif 000003